(57)【要約】【課題】運搬中などに二重係止用部材が外部との擦れで不用意に回転したり、あるいは外部からの衝撃力で破損することを防止することができるコネクタを提供すること。【解決手段】接続端子を収容する端子収容孔２３が中心軸の周囲に放射状に配列された円柱状の端子収容部２１には、長さ方向の中間部において中心軸と直交する円板状に区画形成された部材収容空間と、部材収容空間を外部に連通させるように端子収容部２１の外周に開口する部材挿入口２５と、を備え、略円板状の二重係止用部材３が、部材挿入口２５より前記部材収容空間に装着される。【選択図】図２
2012064462.tif 000002
【特許請求の範囲】
【請求項１】
接続端子を収容する端子収容孔が円柱状の端子収容部に配列されると共に前記端子収容孔には接続端子の抜け止めを行う端子係止片が備えられるハウジング本体と、
前記端子収容部の中心軸を回転中心として回転可能に前記端子収容部に設けられ、前記中心軸に対する回転操作によって、前記端子係止片によって係止されている接続端子を更に位置規制する本係止位置と前記接続端子に対して位置規制しない仮係止位置とに装着位置の切り替えが可能な二重係止用部材と、を備えたコネクタであって、
前記ハウジング本体は、前記端子収容部の中心軸に対して放射状に前記端子収容孔が配置された前記端子収容部と、該端子収容部の長さ方向の中間部において前記中心軸と直交する円板状に前記端子収容部内に区画形成された部材収容空間と、該部材収容空間を外部に連通させるように前記端子収容部の外周に開口する部材挿入口と、を備え、
前記二重係止用部材が、前記部材挿入口より前記部材収容空間に装着される略円板状であることを特徴とするコネクタ。
【請求項２】
一端側が前記端子収容部の外周に被嵌装着されると共に他端側には前記ハウジング本体に接続する相手コネクタのハウジング本体が回転可能に嵌合される円筒状の中継スリーブと、前記端子収容部に装着されている二重係止用部材を回転操作するために前記中継スリーブの中間部に開口した操作用窓部と、を備え、
前記操作用窓部は、周方向の長さが前記部材挿入口の周方向の長さよりも小さく設定されていることを特徴とする請求項１に記載のコネクタ。
【請求項３】
前記二重係止用部材は、
本係止位置に移動したときに、前記接続端子への直接接触により端子の位置を規制する端子当接部と、
回転操作によって仮係止位置から本係止位置に移動するときに、前記端子収容孔に中途挿入状態の接続端子に当接して、前記中途挿入状態の接続端子を完全挿入位置に押し出す端子ガイド斜面と、
を有することを特徴とする請求項１又は２に記載のコネクタ。
【発明の詳細な説明】
【技術分野】
【０００１】
本発明は、端子収容部に収容された接続端子の二重係止を行う二重係止用部材が設けられるコネクタに関する。
【背景技術】
【０００２】
図３１及び図３２は、二重係止用部材を備えるコネクタの従来例を示したものである。
このコネクタ１０１は、下記特許文献１に開示されたもので、ハウジング本体１１０と、コネクタ主部１２０と、中継スリーブ１３０と、を備えている。
【０００３】
ハウジング本体１１０は、不図示の接続端子を収容する端子収容孔１１１が円柱状の端子収容部１１２に、行列状に配列されている。また、図３２に示すように、端子収容孔１１１には、収容した接続端子の抜け止めを行う端子係止片（ランス）１３４が備えられる。
【０００４】
コネクタ主部１２０は、端子収容部１１２の中心軸を回転中心として中継スリーブ１３０と相対回転可能に、端子収容部１１２の軸方向の一端（後端）に一体に設けられている。この中継スリーブ１３０は、コネクタ主部１２０に対する前記中心軸回りの回転操作によって、コネクタ主部１２０と本係止される本係止位置と、コネクタ主部１２０と仮係止される仮係止位置とに装着位置の切り替えが可能である。コネクタ主部１２０の外周部に装備された切欠１２２，１２３は、本係止位置及び仮係止位置に移動したときの位置決め部である。
【０００５】
図３２に示すように、コネクタ主部１２０の前部には、端子収容部室１３２内に収容された接続端子を保持するための二重係止用部材１４０（フロントホルダ）が挿着される。二重係止用部材１４０は、その一部が端子係止片１３４の背面に位置する本係止位置と、その一部が端子係止片１３４の背面から後退して端子係止片１３４が弾性変形可能である仮係止位置とに移動可能に装着される。図３２は二重係止用部材１４０が本係止位置にある状態である。
【０００６】
中継スリーブ１３０は、筒状で、円柱状の端子収容部１１２の外周に回転可能に被嵌装着される。この中継スリーブ１３０は、ハウジング本体１１０を相手コネクタのハウジング本体に接続するために装備されている。
【先行技術文献】
【特許文献】
【０００７】
【特許文献１】特開２００６−３３２０３３号公報
【発明の概要】
【発明が解決しようとする課題】
【０００８】
ところが、特許文献１のコネクタ１０１の場合、二重係止用部材１４０は、仮係止位置では端子収容部１１２の軸方向の一端に露出状態で設けられているため、運搬中などに他の機材等と干渉し易く、外部の機材との干渉によって、二重係止用部材１４０が不用意に仮係止位置から本係止位置に押し込まれたり、脱落するおそれがあった。また、運搬中の落下等では、大きな衝撃力が二重係止用部材１４０に作用して、二重係止用部材１４０の破損、押し込み、脱落のおそれがあった。
【０００９】
そこで、本発明の目的は、上記課題を解消することに係り、運搬中などに二重係止用部材が不用意に回転したり、あるいは外部からの衝撃力で破損することを防止することができるコネクタを提供することにある。
【課題を解決するための手段】
【００１０】
本発明の前述した目的は、下記の構成により達成される。
（１）接続端子を収容する端子収容孔が円柱状の端子収容部に配列されると共に前記端子収容孔には接続端子の抜け止めを行う端子係止片が備えられるハウジング本体と、
前記端子収容部の中心軸を回転中心として回転可能に前記端子収容部に設けられ、前記中心軸に対する回転操作によって、前記端子係止片によって係止されている接続端子を更に位置規制する本係止位置と前記接続端子に対して位置規制しない仮係止位置とに装着位置の切り替えが可能な二重係止用部材と、を備えたコネクタであって、
前記ハウジング本体は、前記端子収容部の中心軸に対して放射状に前記端子収容孔が配置された前記端子収容部と、該端子収容部の長さ方向の中間部において前記中心軸と直交する円板状に前記端子収容部内に区画形成された部材収容空間と、該部材収容空間を外部に連通させるように前記端子収容部の外周に開口する部材挿入口と、を備え、
前記二重係止用部材が、前記部材挿入口より前記部材収容空間に装着される略円板状であることを特徴とするコネクタ。
【００１１】
（２）一端側が前記端子収容部の外周に被嵌装着されると共に他端側には前記ハウジング本体に接続する相手コネクタのハウジング本体が回転可能に嵌合される円筒状の中継スリーブと、前記端子収容部に装着されている二重係止用部材を回転操作するために前記中継スリーブの中間部に開口した操作用窓部と、を備え、
前記操作用窓部は、周方向の長さが前記部材挿入口の周方向の長さよりも小さく設定されていることを特徴とする上記（１）に記載の回転嵌合コネクタ。
【００１２】
（３）前記二重係止用部材は、
本係止位置に移動したときに、前記接続端子への直接接触により端子の位置を規制する端子当接部と、
回転操作によって仮係止位置から本係止位置に移動するときに、前記端子収容孔に中途挿入状態の接続端子に当接して、前記中途挿入状態の接続端子を完全挿入位置に押し出す端子ガイド斜面と、
を有することを特徴とする上記（１）又は（２）に記載の回転嵌合コネクタ。
【００１３】
上記（１）の構成によれば、端子収容部に設けられる二重係止用部材は、略円板状で、端子収容部の長さ方向の中間部に形成された円板状の部材収容空間に収容されていて、外部の機器等との干渉が防止される。
【００１４】
そのため、運搬中などに二重係止用部材が外部との擦れで不用意に回転したり、あるいは外部からの衝撃力で破損することを防止することができる。
【００１５】
上記（２）の構成によれば、端子収容部の外周に被嵌装着される中継スリーブに形成された操作用窓部は、周方向の長さが前記部材挿入口の周方向の長さよりも小さく設定されていて、操作用窓部の周縁部が、部材挿入口の一部を覆う構造となっている。
【００１６】
そのため、コネクタの運搬時等には、端子収容部に中継スリーブが装着された形態で運搬すれば、運搬中等にコネクタに衝撃が作用しても、部材収容空間に装着されている二重係止用部材が衝撃力によって部材挿入口から脱落することを防止することができ、二重係止用部材の適正な組み付け状態を維持することができる。
【００１７】
上記（３）の構成によれば、二重係止用部材は、本係止位置に移動したときに、接続端子に直接接触する端子当接部によって接続端子の位置規制を行うため、端子収容孔内の端子係止片の動きを規制するなどで間接的に接続端子の位置規制を行う場合と比較すると、より強固に接続端子を位置規制することができ、端子収容孔内における接続端子の保持力（固定力）を向上させることができる。
【００１８】
また、上記（３）の構成によれば、二重係止用部材が仮係止位置に位置しているときに、中途挿入状態の接続端子が存在していても、二重係止用部材が回転操作によって仮係止位置から本係止位置に移動するときに、二重係止用部材上の端子ガイド斜面が、中途挿入状態の接続端子に当接して、前記中途挿入状態の接続端子を完全挿入位置に押し出す。
そのため、中途挿入状態の接続端子の見落としを防止し、全ての接続端子が完全挿入された適正な組立状態を確保することができる。
【発明の効果】
【００１９】
本発明による回転嵌合コネクタによれば、端子収容部に設けられる二重係止用部材は、略円板状で、端子収容部の長さ方向の中間部に形成された円板状の部材収容空間に収容されていて、外部の機器等との干渉が防止される。
【００２０】
そのため、運搬中などに二重係止用部材が外部との擦れで不用意に回転したり、あるいは外部からの衝撃力で破損することを防止することができる。
【図面の簡単な説明】
【００２１】
【図１】本発明に係るコネクタの一実施形態の後端側から見た分解斜視図である。
【図２】図１に示したコネクタの前端側から見た分解斜視図である。
【図３】図２に示したハウジング本体の側面図である。
【図４】図３に示したハウジング本体の縦断面図である。
【図５】図３のＡ−Ａ断面図である。
【図６】図５のＢ部の拡大図である。
【図７】図５のＣ部の拡大図である。
【図８】図２に示した二重係止用部材の正面図である。
【図９】図８に示した二重係止用部材の側面図である。
【図１０】図１のＤ部の拡大図である。
【図１１】図１のＥ部の拡大図である。
【図１２】図１に示したハウジング本体に中継スリーブを組み付けた部分組立体の斜視図である。
【図１３】図１２に示した部分組立体の後面図である。
【図１４】図１３のＦ−Ｆ断面図である。
【図１５】図１４のＧ部の拡大図である。
【図１６】一実施形態のコネクタの組立状態で、二重係止用部材が仮係止位置にあるときの側面図である。
【図１７】図１６のＨ−Ｈ断面図である。
【図１８】図１６のＩ部の拡大図である。
【図１９】図１７のＪ部の拡大図である。
【図２０】図１７のＫ部の拡大図である。
【図２１】一実施形態のコネクタの組立状態で、二重係止用部材が本係止位置にあるときの側面図である。
【図２２】図２１のＬ矢視図である。
【図２３】図２１の組立体から中継スリーブを取り外した状態の側面図である。
【図２４】図２１のＭ−Ｍ断面図である。
【図２５】図２４のＮ部の拡大図である。
【図２６】図２４のＰ部の拡大図である。
【図２７】図２２のＱ−Ｑ断面図である。
【図２８】図２７のＲ部の拡大図である。
【図２９】二重係止用部材の端子ガイド斜面が本係止位置に移動する際に、中途挿入状態の接続端子を完全挿入位置に押し出す状態を示す縦断面図である。
【図３０】図２９のＳ部の拡大図である。
【図３１】従来のコネクタの斜視図である。
【図３２】図３１のコネクタの断面図である。
【発明を実施するための形態】
【００２２】
以下、本発明に係る回転嵌合コネクタの好適な実施形態について、図面を参照して詳細に説明する。
【００２３】
図１は本発明に係るコネクタの一実施形態の後端側から見た分解斜視図、図２は図１に示したコネクタの前端側から見た分解斜視図である。
【００２４】
この一実施形態のコネクタ１は、図１及び図２に示すように、ハウジング本体２と、二重係止用部材３と、中継スリーブ４と、を備える。また、ハウジング本体２には、該中継スリーブ４を介して、相手のハウジング本体５が接続される。
【００２５】
ハウジング本体２は、図１及び図２に示すように、円柱状の端子収容部２１と、該端子収容部２１の後端外周に鍔状に形成された結合用の鍔部２２とを備えている。
円柱状の端子収容部２１は、接続端子７を（図２７参照）を収容する端子収容孔２３が、円柱の中心である中心軸Ｏ１（図４参照）に対して放射状に配置されている。
【００２６】
端子収容孔２３には、図４に示すように、端子係止片（ランス）２３３が設けられている。この端子係止片２３３は、端子収容孔２３内の規定位置まで接続端子７が挿入されたときに、接続端子７に係合して、接続端子７の抜け止めを行う。
【００２７】
本実施形態の端子収容部２１は、図２〜図５に示すように、長さ方向（図２では、矢印Ｘ１方向）の中間部に、部材収容空間２４と、部材挿入口２５と、を備えている。部材収容空間２４は、二重係止用部材３を回転可能に収容するための空間である。部材収容空間２４は、図４及び図５に示すように、端子収容部２１の中心軸と直交する円板状に、端子収容部２１内に区画形成されている。
【００２８】
部材収容空間２４の外周部には、図５〜図７に示すように、一対の仮係止用凹部２６ａと、単一の本係止用凹部２６ｂと、が設けられている。一対の仮係止用凹部２６ａは、後述する二重係止用部材３が仮係止位置にあるときに、二重係止用部材３の係止用突起が係合する窪みである。また、本係止用凹部２６ｂは、後述する二重係止用部材３が本係止位置にあるときに、二重係止用部材３の係止用突起が係合する窪みである。
【００２９】
鍔部２２は、中継スリーブ４やハウジング本体５を結合するための部位である。鍔部２２には、図１に示すように、中継スリーブ４を回り止めするための第１の切欠２７と、ハウジング本体５を回り止めするための第２の切欠２８と、が形成されている。
【００３０】
第１の切欠２７及び第２の切欠２８は、いずれも、鍔部２２の外周に、２箇所ずつ、設けられている。
【００３１】
部材挿入口２５は、部材収容空間２４を外部に連通させるように、端子収容部２１の外周に開口している。この部材挿入口２５は、二重係止用部材３を部材収容空間２４に挿入するための開口である。この部材挿入口２５には、後述する二重係止用部材３の回転操作部３６が外部に突出しないように凹んで形成された操作部収容部２５１が形成されている。
【００３２】
二重係止用部材３は、図８及び図９に示すように、円板状の部材収容空間２４に収容される略円板状で、中心には、部材収容空間２４の中心に回転可能に支持させる軸部３１が設けられている。二重係止用部材３は、図２７に示すように、端子収容部２１の中心に貫通形成された軸受穴２１１に軸部３１を嵌合させることによって、端子収容部２１の中心軸Ｏ１を回転中心として回転可能に前記端子収容部２１に支持される。
【００３３】
また、二重係止用部材３には、複数の端子位置決め穴３３と、係止用突起３４，３５と、回転操作部３６とが設けられている。
【００３４】
端子位置決め穴３３は、図８に示すように、端子収容部２１における端子収容孔２３の放射状の配列に対応して、放射状に配列されている。
【００３５】
端子位置決め穴３３は、幅広の穴部３３ａと、該幅広の穴部３３ａから周方向に延びる幅狭の穴部３３ｂと、を備えている。
【００３６】
幅広の穴部３３ａは、接続端子７の最大外径となる部位が挿通可能な穴であり、二重係止用部材３が仮係止位置にあるときに、接続端子７が挿通する。
【００３７】
幅狭の穴部３３ｂは、二重係止用部材３が仮係止位置から本係止位置に回転させられるときに、幅広の穴部３３ａに挿通していた接続端子７が二重係止用部材３の回転に伴って移動する穴である。この幅狭の穴部３３ｂは、図２５及び図２８に示すように、接続端子７の箱型部７ａの後段に位置した細幅部７ｂの幅寸法に対応する。なお、接続端子７の箱型部７ａは、相手の雄型接続端子が嵌合する部位である。
【００３８】
幅狭の穴部３３ｂの内径側の周面３３１は、二重係止用部材３が本係止位置に移動したときに、図２８に示すように、接続端子７への直接接触により接続端子７を端子収容孔２３の底部に押し付けて、接続端子７の位置を規制する端子当接部である。
【００３９】
更に、本実施形態の二重係止用部材３は、図３０に示すように、二重係止用部材３が仮係止位置から本係止位置に回転させられるときに、接続端子７の中途挿入を解消する端子ガイド斜面３３２が備えられている。この端子ガイド斜面３３２は、二重係止用部材３の本係止位置への回転時に、図３０に示すように、中途挿入状態の接続端子７の箱型部７ａの後端部７１に当接して、接続端子７を正規の挿入方向（図３０の矢印Ｘ３方向）に押圧し、中途挿入状態の接続端子７を完全挿入位置に押し出す。
【００４０】
係止用突起３４，３５は、図８に示すように、二重係止用部材３の外周部に突設されている。
【００４１】
係止用突起３４，３５は、二重係止用部材３が部材収容空間２４に装着されて仮係止位置にあるとき、図１７及び図１９及び図２０に示すように、部材収容空間２４の外周部の仮係止用凹部２６ａに係合して、二重係止用部材３の回転が規制される。仮係止用凹部２６ａに係止されている各係止用突起３４，３５は、二重係止用部材３に一定以上の回転力が図１７の矢印Ｒ２方向に作用すると、仮係止用凹部２６ａを脱出し、二重係止用部材３が矢印Ｒ２方向に回転可能になる。
【００４２】
係止用突起３４，３５は、二重係止用部材３の矢印Ｒ２方向への回転時に、仮係止用凹部２６ａを抜け出し易いように、図８に示すように、回転方向前方側が傾斜面３４ａ，３５ａになっている。
【００４３】
二重係止用部材３は、図１７に示した仮係止位置から矢印Ｒ２方向へ所定角度回転すると、図２４に示すように、係止用突起３５が部材収容空間２４の外周の本係止用凹部２６ｂに係合し、本係止位置に固定される。
【００４４】
二重係止用部材３は、本係止位置に移動したときには、図２５に示すように、完全挿入された接続端子７の細幅部７ｂが幅狭の穴部３３ｂに挿通した状態になり、各幅狭の穴部３３ｂにおける内径側の周面３３１が細幅部７ｂに直接当接して、接続端子７を位置規制する。
【００４５】
回転操作部３６は、端子収容部２１の中心に回転可能に装着された二重係止用部材３を回転操作するための部位で、図８及び図９に示すように、二重係止用部材３の外周部に、装備されている。この回転操作部３６は、操作し易いように、端子位置決め穴３３が形成されている円板部よりも幅方向の寸法が大きく設定されている。
【００４６】
以上に説明した二重係止用部材３は、中心軸Ｏ１に対する回転操作によって、図１７に示した仮係止位置、又は図２４に示した本係止位置に、位置切り替えすることができる。二重係止用部材３は、図２４に示した本係止位置にあるときには、端子収容孔２３内の端子係止片２３３によって係止されている接続端子７を更に位置規制して、二重係止状態を形成する。また、二重係止用部材３は、図１７に示した仮係止位置にあるときには、接続端子７に対して位置規制しない。
【００４７】
中継スリーブ４は、図１及び図２に示すように、円筒状で、一端４１側が端子収容部２１の外周に被嵌装着される。この中継スリーブ４の他端４２側には、ハウジング本体２に接続する相手コネクタのハウジング本体５が回転可能に嵌合される。
【００４８】
本実施形態の中継スリーブ４は、一端４１側に、第１のロック片４３と、第２のロック片４４とを備えている。
【００４９】
第１のロック片４３は、図１０にも示すように、ハウジング本体２への嵌合方向（図１では、矢印Ｘ３方向）に延出した弾性片４３１の内面側に、径方向内側に突出した膨出部４３２を有している。この第１のロック片４３は、ハウジング本体２の端子収容部２１に被嵌装着した際に、膨出部４３２がハウジング本体２上の鍔部２２の第１の切欠２７に嵌入して、ハウジング本体２と中継スリーブ４の相対回転を規制する。
【００５０】
第２のロック片４４は、図１１に示すように、一端４１からウジング本体２への嵌合方向（図１では、矢印Ｘ３方向）に延出した弾性片４４１の内面側に、径方向内側に突出したロック突起４４２，４４３を有している。弾性片４４１は、中継スリーブ４がハウジング本体２に被嵌装着された際に、図１４及び図１５に示すように、鍔部２２の外側を嵌合方向に通過する。
【００５１】
第２のロック片４４は、中継スリーブ４をハウジング本体２に被嵌装着した際に、図１４及び図１５に示すように、中継スリーブ４の一端４１とロック突起４４２とで鍔部２２の外周縁を挟持することで、ハウジング本体２と中継スリーブ４の嵌合方向への相対移動を規制する。
【００５２】
即ち、中継スリーブ４は、ハウジング本体２に被嵌装着されると、図１２〜図１４に示すように、第１のロック片４３と第１の切欠２７との係合により周方向への相対移動が規制され、且つ、一端４１とロック突起４４２とで鍔部２２を挟持することにより嵌合方向への相対移動が規制されて、ハウジング本体２に固定された状態になる。
【００５３】
中継スリーブ４は、ハウジング本体２に固定された状態では、図１４に示すように、ハウジング本体２の外周面との間に、相手コネクタのハウジング本体５の前端側のフード部５１（図１参照）を挿入可能な円筒状隙間６を画成する。
【００５４】
図１及び図２に示すように、中継スリーブ４の他端４２側の内周には、結合用突起４５が設けられている。この結合用突起４５は、相手コネクタのハウジング本体５を他端４２に嵌合させたときに、ハウジング本体５側の螺旋状のカム溝５２に係合させられる。
【００５５】
ハウジング本体５は、接続端子を収容する円柱状の端子収容部５３の前端側に、円筒状のフード部５１を有している。また、ハウジング本体５は、フード部５１の外周面に、中継スリーブ４の結合用突起４５が係合するカム溝５２を有している。
【００５６】
ハウジング本体５は、フード部５１の前端部を中継スリーブ４の他端４２に嵌合させ、結合用突起４５がカム溝５２に嵌合した状態で、中継スリーブ４とハウジング本体５とを相対回転させると、結合用突起４５が螺旋状のカム溝５２上を進むことで、ハウジング本体２側に引き込まれ、結合用突起４５がカム溝５２の終端に到達したときに、ハウジング本体２とハウジング本体５との接続が完了した状態になる。
【００５７】
本実施形態の場合、中継スリーブ４には、図２及び図１６に示すように、軸方向の中間部に操作用窓部４６が形成されている。
【００５８】
この操作用窓部４６は、端子収容部２１に装着されている二重係止用部材３を回転操作するための開口である。
【００５９】
操作用窓部４６は、周方向の長さが、部材挿入口２５の周方向の長さよりも小さく設定されている。具体的には、操作用窓部４６は、部材挿入口２５に形成された操作部収容部２５１よりも僅かに大きく設定された開口となっている。
【００６０】
次に、本実施形態の組立手順について説明する。
【００６１】
まず、最初に、図３に示したハウジング本体２の部材挿入口２５から、二重係止用部材３を端子収容部２１内の部材収容空間２４に装着する。この時、部材収容空間２４に装着する二重係止用部材３は、図１７に示す仮係止位置にセットする。二重係止用部材３が仮係止位置にセットされた場合、二重係止用部材３の回転操作部３６は、図１６に示すように、操作部収容部２５１の上部側に寄っている。
【００６２】
二重係止用部材３が仮係止位置にセットされている場合、二重係止用部材３に装備されている端子位置決め穴３３は、幅広の穴部３３ａが端子収容部２１上の端子収容孔２３の配列に重なっている。そのため、二重係止用部材３が装着された状態で、端子収容孔２３へ接続端子７を装着することができる。
【００６３】
二重係止用部材３を仮係止位置にセットした後、端子収容部２１の各端子収容孔２３への接続端子７の装着が完了したら、ハウジング本体２の外周に中継スリーブ４を被嵌装着して、図１６に示すような部分組立体Ｕ１とする。
【００６４】
次いで、図２１に示すように、操作用窓部４６に露出している回転操作部３６を、矢印Ｙ１方向に押し下げて、二重係止用部材３を本係止位置に切り替える。
【００６５】
二重係止用部材３は、仮係止位置から本係止位置に回転移動するときには、ハウジング本体２の前面側から見て、図２４に矢印Ｒ３で示すように部材収容空間２４内を時計方向に回転する。そして、本係止位置に到達すると、図２６に示すように、二重係止用部材３の外周の係止用突起３５が、部材収容空間２４の外周部の本係止用凹部２６ｂに係合する。また、図２５及び図２７及び図２８に示すように、二重係止用部材３の幅狭の穴部３３ｂに装備された端子当接部である内径側の周面３３１が、接続端子７の細幅部７ｂに直接接触して、接続端子７を位置規制する。
【００６６】
更に、本実施形態のコネクタ１では、二重係止用部材３が仮係止位置に位置している状態で、中途挿入状態の接続端子７（図２９では、最下段の端子収容孔２３に収容されている接続端子）が残存していても、二重係止用部材３が本係止状態に移行する際に、図３０に示すように、二重係止用部材３に装備された端子ガイド斜面３３２が、接続端子７の箱型部７ａの後端部７１を矢印Ｘ３方向に押圧して、接続端子７を完全挿入位置に押し出す。
【００６７】
そのため、二重係止用部材３が本係止位置に到達した時点では、中途挿入状態の接続端子は残存しない。
【００６８】
以上に説明した一実施形態のコネクタ１では、端子収容部２１に設けられる二重係止用部材３は、略円板状で、端子収容部２１の長さ方向の中間部に形成された円板状の部材収容空間２４に収容されていて、外部の機器等との干渉が防止される。
【００６９】
そのため、運搬中などに二重係止用部材３が外部との擦れで不用意に回転したり、あるいは外部からの衝撃力で破損することを防止することができる。
【００７０】
また、一実施形態のコネクタ１では、端子収容部２１の外周に被嵌装着される中継スリーブ４に形成された操作用窓部４６は、周方向の長さが前記部材挿入口２５の周方向の長さよりも小さく設定されていて、操作用窓部４６の周縁部が、部材挿入口２５の一部を覆う構造となっている。
【００７１】
そのため、コネクタ１の運搬時等には、端子収容部２１に中継スリーブ４が装着された形態で運搬すれば、運搬中等にコネクタに衝撃が作用しても、部材収容空間２４に装着されている二重係止用部材３が衝撃力によって部材挿入口２５から脱落することを防止することができ、二重係止用部材３の適正な組み付け状態を維持することができる。
【００７２】
また、一実施形態のコネクタ１では、二重係止用部材３は、本係止位置に移動したときに、接続端子７に直接接触する端子当接部によって接続端子７の位置規制を行うため、端子収容孔２３内の端子係止片２３３の動きを規制するなどで間接的に接続端子７の位置規制を行う場合と比較すると、より強固に接続端子７を位置規制することができ、端子収容孔２３内における接続端子７の保持力（固定力）を向上させることができる。
【００７３】
また、一実施形態のコネクタ１では、二重係止用部材３が仮係止位置に位置しているときに、中途挿入状態の接続端子７が存在していても、二重係止用部材３が回転操作によって仮係止位置から本係止位置に移動するときに、二重係止用部材３上の端子ガイド斜面が、中途挿入状態の接続端子７に当接して、前記中途挿入状態の接続端子７を完全挿入位置に押し出す。
【００７４】
そのため、中途挿入状態の接続端子７の見落としを防止し、全ての接続端子７が完全挿入された適正な組立状態を確保することができる。
【００７５】
なお、本発明のコネクタは、前述した実施形態に限定されるものでなく、適宜な変形、改良等が可能である。また、前述した実施形態において例示した各構成部品の材質、形状、寸法、形態、数量、配置箇所等は、本発明の目的を達成できるものであれば、任意であり、前述した各実施形態に限定されない。
【符号の説明】
【００７６】
１  コネクタ
２  ハウジング本体
３  二重係止用部材
４  中継スリーブ
５  ハウジング本体
７  接続端子
７ｂ  細幅部
２１  端子収容部
２２  鍔部
２３  端子収容孔
２４  部材収容空間
２５  部材挿入口
２６ａ  仮係止用凹部
２６ｂ  本係止用凹部
２７  第１の切欠２７
３１  軸部
３３  端子位置決め穴
３３ａ  幅広の穴部
３３ｂ  幅狭の穴部
３４  係止用突起
３４ａ  傾斜面
３５  係止用突起
３５ａ  傾斜面
３６  回転操作部
４６  操作用窓部
２１１  軸受穴
２５１  操作部収容部
３３１  内径側の周面（端子当接部）
３３２  端子ガイド斜面  
【図１】
2012064462.tif 000003
【図２】
2012064462.tif 000004
【図３】
2012064462.tif 000005
【図４】
2012064462.tif 000006
【図５】
2012064462.tif 000007
【図６】
2012064462.tif 000008
【図７】
2012064462.tif 000009
【図８】
2012064462.tif 000010
【図９】
2012064462.tif 000011
【図１０】
2012064462.tif 000012
【図１１】
2012064462.tif 000013
【図１２】
2012064462.tif 000014
【図１３】
2012064462.tif 000015
【図１４】
2012064462.tif 000016
【図１５】
2012064462.tif 000017
【図１６】
2012064462.tif 000018
【図１７】
2012064462.tif 000019
【図１８】
2012064462.tif 000020
【図１９】
2012064462.tif 000021
【図２０】
2012064462.tif 000022
【図２１】
2012064462.tif 000023
【図２２】
2012064462.tif 000024
【図２３】
2012064462.tif 000025
【図２４】
2012064462.tif 000026
【図２５】
2012064462.tif 000027
【図２６】
2012064462.tif 000028
【図２７】
2012064462.tif 000029
【図２８】
2012064462.tif 000030
【図２９】
2012064462.tif 000031
【図３０】
2012064462.tif 000032
【図３１】
2012064462.tif 000033
【図３２】
2012064462.tif 000034